(57)【要約】【課題】螺旋バネの着座安定性の向上及びリフィールの抜け防止を簡単な構成をもって達成させるようにした多芯筆記具を提供する。【解決手段】多芯筆記具においては、リフィール２の後端の逃がしとして機能する第２の前端面２１ｂをバネ装填部２０の前端面２１に設けることにより、バネ装填部２０の大型化を可能にし、螺旋バネ１５の内周とバネ装填部２０の外周との隙間を可能な限り少なくでき、螺旋バネ１５の更なる着座安定性を高めることができる。そして、バネ装填部２０に対する螺旋バネ１５のガタツキが可能な限り小さくなるので、軸筒４内で互いに近接している螺旋バネ１５，１６同士が衝突し難く、螺旋バネ１５，１６同士が当たり合うときの異音の発生が無くなる。さらには、ノック部１１とリフィールと２で「く」の字形状をなしたときのリフィール２の抜けを確実に防止することができる。【選択図】図３
2008302672.tif 000002
【特許請求の範囲】
【請求項１】
軸筒の先端から選択的に出没する複数のリフィールと、
それぞれの前記リフィールの後端に連結されて前記軸筒の軸線方向にスライド自在な複数のノック部と、
前記リフィールの周囲に巻回されるように配置され、一端が前記軸筒に係止されると共に、他端が前記ノック部に係止されて、前記ノック部を復帰させる螺旋バネとを有する多芯筆記具において、
前記ノック部は、
前端側に形成されると共に、前記螺旋バネの後端側の開口内に挿入されるバネ装填部と、
前記バネ装填部の前端面から前方に向かって突出すると共に、前記リフィールの後端側の開口内に挿入されるリフィール装填部とを備え、
前記バネ装填部の前記前端面は、
前記ノック部の延在方向に対して略直交して延在すると共に、前記リフィールの後端面に当接する第1の前端面と、
前記バネ装填部の前記前端面の内側で前記第1の前端面より後退してなる第２の前端面とからなることを特徴とする多芯筆記具。
【請求項２】
前記バネ装填部は、内側に平坦部を有する略半円柱形状をなすことを特徴とする請求項１記載の多芯筆記具。
【請求項３】
前記ノック部には、前記螺旋バネの後端に当接するバネ座面が更に設けられ、前記バネ座面は、前記バネ装填部の後端で前記長手方向に対して直交して延在することを特徴とする請求項１又は２記載の多芯筆記具。
【発明の詳細な説明】
【技術分野】
【０００１】
本発明は、軸筒の軸線方向にスライド自在なノック部を備えた多芯筆記具に関するものである。
【背景技術】
【０００２】
従来、このような分野の技術として、実開平４−６０４９２号公報がある。この公報に記載された多芯筆記具は、摺動部（ノック部）を軸筒の軸線方向にスライドさせることにより、軸筒の先端開口からボールペンの先端とシャープペンシルの先端とを選択的に出没させることができる多機能型の筆記具である。このような筆記具は、摺動部を押し下げた際に、摺動部とシャープペンシル体（ペンシル型リフィール）は、一直線状ではなく、「く」の字の関係になる。これは、摺動部の基端側が内側に引き込まれること、摺動部が軸筒の外周に配置されていること、軸筒の先端開口が中央に形成されていることに起因している。また、リフィールに対して摺動部が首振り動作を行わない場合、リフィールを無理矢理に撓ませることになるので、リフィールに無用な負荷を掛けてしまう。そこで、摺動部の首振り動作を達成させるために、従来の多芯筆記具では、摺動部の先端にボール部を設け、リフィールの後端に円柱状のボール受け部を装着し、このボール受け部の凹部内にボール部を嵌め込んでいる。
【０００３】
【特許文献１】実開平４−６０４９２号公報
【特許文献２】実開平５−１２１８５号公報
【発明の開示】
【発明が解決しようとする課題】
【０００４】
しかしながら、前述した従来の多芯筆記具では、摺動部とシャープペンシル体（ペンシル型リフィール）とで「く」の字形状をなすと、リフィールの後端に設けられたボール受け部の外側のエッジが摺動部の端面に強く押し付けられる。従って、エッジを丸くしたり強度を高めるなどの工夫が施されたボール受け部を必要とし、首振り構造が複雑化する。また、摺動部とシャープペンシル体（ペンシル型リフィール）とで「く」の字形状をなすと、摺動部の端面とボール受け部の端面との間に大きな隙間ができ、この隙間の大きさからも分かるように、ボール部はボール受け部の凹部から抜け易い状態になってしまう。さらに、摺動部にあっては、リフィールの後端が当たる端面とコイルスプリングが当たる端面とが同じであるので、摺動部の端面とボール受け部の端面との間に大きな隙間ができると、摺動部の端面とボール受け部の端面との間でコイルスプリングの噛み込みが起こる虞がある。これは、前述した隙間に起因して、コイルスプリングの着座安定性が悪化することによる。
【０００５】
本発明は、螺旋バネの着座安定性の向上及びリフィールの抜け防止を簡単な構成をもって達成させるようにした多芯筆記具を提供することを目的とする。
【課題を解決するための手段】
【０００６】
本発明に係る多芯筆記具は、軸筒の先端から選択的に出没する複数のリフィールと、それぞれのリフィールの後端に連結されて軸筒の軸線方向にスライド自在な複数のノック部と、リフィールの周囲に巻回されるように配置され、一端が軸筒に係止されると共に、他端がノック部に係止されて、ノック部を復帰させる螺旋バネとを有する多芯筆記具において、
ノック部は、前端側に形成されると共に、螺旋バネの後端側の開口内に挿入されるバネ装填部と、バネ装填部の前端面から前方に向かって突出すると共に、リフィールの後端側の開口内に挿入されるリフィール装填部とを備え、
バネ装填部の前端面は、ノック部の延在方向に対して略直交して延在すると共に、リフィールの後端面に当接する第1の前端面と、バネ装填部の前端面の内側で第1の前端面より後退してなる第２の前端面とからなることを特徴とする。
【０００７】
この多芯筆記具においては、螺旋バネの着座安定性を高めるために、ノック部側にバネ装填部を形成しているが、リフィールの後端の逃がしとして機能する第２の前端面をバネ装填部の前端面に設けることにより、バネ装填部の大型化を可能にし、螺旋バネの内周とバネ装填部の外周との隙間を可能な限り少なくでき、螺旋バネの更なる着座安定性を高めることができる。そして、バネ装填部に対する螺旋バネのガタツキが可能な限り小さくなるので、軸筒内で互いに近接している螺旋バネ同士が衝突し難く、螺旋バネ同士が当たり合うときの異音の発生が無くなる。さらには、ノック部とリフィールとで「く」の字形状をなしたとき、リフィールの後端面とバネ装填部の前端面との間の隙間を小さくできるので、リフィールの抜けを確実に防止することができる。
【０００８】
また、バネ装填部は、内側に平坦部を有する略半円柱形状をなすと好適である。
バネ装填部を円柱形状にすることもできるが、略半円柱形状のバネ装填部を採用することで、平坦部をリフィールの後端の逃がしとして機能させることができ、径の大きなリフィールの採用が可能になる。
【０００９】
また、ノック部には、螺旋バネの後端に当接するバネ座面が更に設けられ、バネ座面は、バネ装填部の後端で長手方向に対して直交して延在すると好適である。
このような構成によって、バネ装填部の大型化と相俟ってバネ座面は大型化し、螺旋バネの着座安定性の更なる向上が図られる。
【発明の効果】
【００１０】
本発明によれば、螺旋バネの着座安定性の向上及びリフィールの抜け防止を簡単な構成をもって達成させることができる。
【発明を実施するための最良の形態】
【００１１】
以下、図面を参照しつつ本発明に係る多芯筆記具の好適な実施形態について詳細に説明する。なお、ペン先側を「前方側」として以下説明する。
【００１２】
図１に示されるように、多芯筆記具１は、３色のボールペン型リフィールとシャープペンシル型リフィールとを有している複合タイプである。このノック式多芯筆記具１は、３本のボールペン型のリフィール２と、１本のシャープペンシル型リフィール３と、各リフィール２，３を収容する樹脂製の軸筒４と、軸筒４の後端に一体的に形成された突出部４ｃと、この突出部４ｃ内に装填された円柱状の消しゴム６と、消しゴム６を覆うように軸筒４の後端部に装着された樹脂製のキャップ７と、軸筒４の軸線Ｌ方向にスライド自在な開閉式クリップ８と、軸筒４に固定された滑り止め用のグリップ９とを備えている。
【００１３】
また、軸筒４は、前軸４ａと後軸４ｂとからなり、前軸４ａの後側に設けられた雄ネジ部と後軸４ｂの前側に設けられた雌ネジ部との螺合によって、前軸４ａと後軸４ｂは連結されている。このように、軸筒４を前軸４ａと後軸４ｂとに二分割することで、前軸４ａを外してリフィール２を容易に交換することができ、前軸４ａと後軸４ｂの材質を異ならせることもできる。
【００１４】
さらに、軸筒４の後部には４本のガイド溝１０が形成され、４本のガイド溝１０のうちの３本のガイド溝１０ａに沿って樹脂製のノック部１１が摺動し、各ノック部１１の先端は、リフィール２の後端に差し込まれている。開閉式クリップ８は、残りの１本のガイド溝１０ｂに沿って軸線Ｌ方向に可動し、クリップ８にＵ字状の板バネ１２を介して連結された樹脂製のノック部１３の先端は、シャープペンシル型リフィール３の後端に差し込まれ、ノック部１３がガイド溝１０ｂに沿って摺動する。
【００１５】
さらに、軸筒４内には、ノック部１１及びクリップ８を復帰させるための螺旋バネ１５，１６が収容され、リフィール２，３は螺旋バネ１５，１６内に差し込まれている。そして、ノック部１１及びクリップ８に復帰力を発生させるために、螺旋バネ１５の一端は軸筒４で係止され、螺旋バネ１５の他端はノック部１１の先端に係止され、螺旋バネ１６の一端は軸筒４で係止され、螺旋バネ１６の他端はノック部１３の先端に係止されている。
【００１６】
このような構成の複合筆記具１では、ノック部１１の何れかを指で押し下げることによって、軸筒４の先端開口４ｄからボールペンの先端を突出させることができ、クリップ８を指の腹で押し下げて、ノック部１３を介して軸筒４の先端開口４ｄからシャープペンシルの先端を突出させることができる。そして、軸筒４から選択的に突出させた各リフィール２，３は、ノック部１１又はクリップ８を指で軽く押し下げることにより、リフィール２又はリフィール３の先端を軸筒４内に格納することができる。
【００１７】
図２に示されるように、扁平で細長い形状を有するノック部１１の外側には、指掛け部１１ａが形成され、ノック部１１の内側（軸線Ｌ側）には、略中央から後端に向かって延在する細長い隆起部１１ｂが形成されている。そして、この隆起部１１ｂの直線的な頂部には、断面三角形状の前側突起１１ｃ及び後側突起１１ｄが並設されている。なお、ノック部１３も同様に、隆起部１１ｂ、前側突起１１ｃ及び後側突起１１ｄが設けられている。
【００１８】
図１に示されるように、このような構成の筆記具１を使用するにあたっては、例えばノック部１１を押し下げる。すると、ノック部１１は、軸筒４の軸線Ｌ方向に沿って移動する。このとき、ノック部１１の後端部に設けられた係合部（図示しない）と、ガイド溝１０に設けられた図示しない係合受部とが係合し、ボールペン型リフィール２のノック部１１が係止され、筆記可能状態となる（図１参照）。この筆記可能状態の解除は、残りのノック部１１，１３の何れかを軽く押し下げることによる。残りのノック部１１，１３を押し下げると、押し下げられたノック部１１，１３の前側突起１１ｃが、係止されているノック部１１（換言すれば、突出しているボールペン型リフィール２が取り付けられたノック部１１）の後側突起１１ｄを、軸筒４の軸線Ｌから外方向へ押しのけるとともに、係止されているノック部１１の係止状態（換言すれば、筆記可能状態）が解除される。すると、螺旋バネ１５の付勢力によりノック部１１は復帰する。このとき、ノック部１１は、軸線Ｌに対して略平行な状態に戻る。
【００１９】
このように、ノック部１１を押し下げると、ノック部１１の指掛け部１１ａが内側に引き込まれて、ノック部１１は少し傾き、ノック部１１が復帰すると、指掛け部１１ａが外側に突出して、ノック部１１は、軸線Ｌに対して略平行な状態に戻る。また、ノック部１１を押し下げた際に、ノック部１１とリフィール２は、一直線状ではなく、「く」の字の関係になる。これは、ノック部１１の指掛け部１１ａが内側に引き込まれること、ノック１１が軸筒４の外周に配置されていること、軸筒４の先端開口４ｄが中央に形成されていることに起因している。
【００２０】
そして、複数のノック部１１，１３をもった多芯筆記具１では、リフィール２，３に対してノック部１１，１３を適切に首振り動作させる必要があるが、ノック部１１の首振りが行われない場合、リフィール２を無理矢理に撓ませることになるので、リフィール２に無用な負荷を掛けてしまう。特に、水性インクが充填されたリフィール２は、径が大きく撓み難いので、ノック部１１の首振り動作は必須である。また、クリップ８に連結されたノック部１３の首振りが適切に行われずに、リフィール３が撓むと、リフィール３内に入っている替芯Ａが折れやすくなる。
【００２１】
そこで、ノック部１１，１３の適切な首振り動作を達成させるために、ノック部１１，１３の前端側の形状に特徴をもたせている。図３及び図４に示されるように、ノック部１１は、前端側に形成されると共に、螺旋バネ１５の後端側の開口１５ａ（図２参照）から挿入されるバネ装填部２０と、バネ装填部２０の前端面２１から前方に向かって突出すると共に、リフィール２の後端側の開口２ａ（図２参照）から挿入される鏃状のリフィール装填部２２とを備えている。そして、このリフィール装填部２２の先端には、リフィール２内に圧入される略四角錐台形状の圧入部２２ａが設けられ、この圧入部２２ａを支点として、ノック部１１は首振り動作を行う。
【００２２】
バネ装填部２０の前端面２１は、ノック部１１の延在方向に対して略直交して延在すると共に、リフィール２の後端面２ｂに当接する第1の前端面２１ａと、バネ装填部２０の前端面２１の内側（軸線Ｌ側）で第1の前端面２１ａより後退してなる第２の前端面２１ｂとからなる。なお、この第２の前端面２１ｂは、第１の前端面２１ａに対して階段状に約０．５ｍｍ程度後退させられている。
【００２３】
この多芯筆記具１においては、螺旋バネ１５の着座安定性を高めるために、ノック部１１側にバネ装填部２０を形成しているが、リフィール２の後端の逃がしとして機能する第２の前端面２１ｂをバネ装填部２０の前端面２１に設けることによって、バネ装填部２０の大型化を可能にし、螺旋バネ１５の内周とバネ装填部２０の外周との隙間を可能な限り少なくでき、螺旋バネ１５の更なる着座安定性を高めることができる。そして、バネ装填部２０に対する螺旋バネ１５のガタツキが可能な限り小さくなるので、軸筒４内で互いに近接している螺旋バネ１５，１６同士が衝突し難く、螺旋バネ１５，１６同士が当たり合うときの異音の発生が無くなる。
【００２４】
さらには、ノック部１１とリフィール２とで「く」の字形状をなしたとき、リフィール２の後端面２ｂとバネ装填部２０の前端面２１との間の隙間を小さくできるので、リフィール２の抜けを確実に防止することができる。
【００２５】
ノック部１１には、バネ装填部２０に隣接するフランジ部２４が形成され、このフランジ部２４には、螺旋バネ１５の後端１５ｂに当接する略Ｃ字状のバネ座面２４ａが設けられている。このバネ座面２４ａは、バネ装填部２０の後端でノック部１１の長手方向に対して直交して延在する。このような構成によって、バネ装填部２０の大型化と相俟ってバネ座面２４ａは大型化し、螺旋バネ１５の着座安定性の更なる向上が図られる。
【００２６】
図５に示されるように、バネ装填部２０は、略半円柱形状をなすと共に、内側（軸線Ｌ側）に位置する平坦部２０ａと、互いに平行な平面状の側面２０ｂと、螺旋バネ１５の内径と略同じ径の曲面２０ｃとからなる。バネ装填部２０を円柱形状にすることもできるが、バネ装填部２０を略半円柱形状にすることで、平坦部２０ａをリフィール２の後端の逃がしとして機能させることができ、径の大きなリフィールの採用が可能になる。
【００２７】
なお、ノック部１３の先端部分の形状についてもノック部１１と同等な構成を有しているので、詳細な説明は省略する。
【００２８】
本発明は、前述した実施形態に限定されないことは言うまでもなく、多芯筆記具１は、軸筒４内の全てがボールペン型リフィールであってもよい。
【図面の簡単な説明】
【００２９】
【図１】本発明に係る多芯筆記具の一実施形態を示す断面図である。
【図２】ノック部と螺旋バネとリフィールとを示す分解斜視図である。
【図３】ノック部の先端部分を示す拡大斜視図である。
【図４】ノック部の首振り動作を示す断面図である。
【図５】図４のＶ−Ｖ線に沿う断面図である。
【符号の説明】
【００３０】
１…多芯筆記具、２，３…リフィール、２ａ…リフィールの開口、２ｂ…リフィールの後端面、４…軸筒、１１，１３…ノック部、１５，１６…螺旋バネ、１５ａ…螺旋バネの開口、１５ｂ…螺旋バネの後端、２０…バネ装填部、２０ａ…平坦部、２１…前端面、２１ａ…第１の前端面、２１ｂ…第２の前端面、２２…リフィール装填部、２４…フランジ部、２４ａ…バネ座面、Ｌ…軸線。
【図１】
2008302672.tif 000003
【図２】
2008302672.tif 000004
【図３】
2008302672.tif 000005
【図４】
2008302672.tif 000006
【図５】
2008302672.tif 000007